【手続補正書】
【提出日】平成31年1月22日(2019.1.22)
【手続補正１】
【補正対象書類名】明細書
【補正対象項目名】０００８
【補正方法】変更
【補正の内容】
【０００８】
請求項３の発明は、前記混合手段が、前記第１の液体と前記第２の液体とを撹拌して混合する、請求項２に記載の液体供給装置である。
【手続補正２】
【補正対象書類名】明細書
【補正対象項目名】０００９
【補正方法】変更
【補正の内容】
【０００９】
請求項４の発明は、前記第２の貯留手段が、前記第２の液体を、赤外線吸収剤が劣化しない第１の温度に調整する第１の温度調整手段を更に備えた、請求項２または請求項３に記載の液体供給装置である。
【手続補正３】
【補正対象書類名】明細書
【補正対象項目名】００１０
【補正方法】変更
【補正の内容】
【００１０】
請求項５の発明は、前記供給手段が、前記外部に供給する前記混合液を、前記混合液の粘度が閾値以下となる第２の温度に調整する第２の温度調整手段を更に備えた、請求項２から請求項４までのいずれか１項に記載の液体供給装置である。
【手続補正４】
【補正対象書類名】明細書
【補正対象項目名】００１４
【補正方法】変更
【補正の内容】
【００１４】
請求項９の発明は、前記混合手段が、前記第１の液体と前記第２の液体とを撹拌して混合する、請求項８に記載の液滴吐出装置である。
【手続補正５】
【補正対象書類名】明細書
【補正対象項目名】００１５
【補正方法】変更
【補正の内容】
【００１５】
請求項１０の発明は、前記第２の貯留手段が、前記第２の液体を、赤外線吸収剤が劣化しない第１の温度に調整する第１の温度調整手段を更に備えた、請求項８または請求項９に記載の液滴吐出装置である。
【手続補正６】
【補正対象書類名】明細書
【補正対象項目名】００１６
【補正方法】変更
【補正の内容】
【００１６】
請求項１１の発明は、前記供給手段が、前記液滴吐出ヘッドに供給する前記混合液を、前記混合液の粘度が吐出に適した粘度となる第２の温度に調整する第２の温度調整手段を更に備えた、請求項８から請求項１０までのいずれか１項に記載の液滴吐出装置である。
【手続補正７】
【補正対象書類名】明細書
【補正対象項目名】００１７
【補正方法】変更
【補正の内容】
【００１７】
請求項１２の発明は、前記制御手段が、前記取得手段で取得された特性値が予め定めた許容範囲外の場合は、前記混合液内の赤外線吸収剤の濃度の補正量を求め、得られた補正量に応じて前記第２の液体の供給量を増やすように前記調整手段を制御する、請求項８に記載の液滴吐出装置である。
【手続補正８】
【補正対象書類名】明細書
【補正対象項目名】００２２
【補正方法】変更
【補正の内容】
【００２２】
請求項１７の発明は、前記液滴吐出ヘッドに供給される混合液の温度を調整する温度調整手段と、前記照射手段によるレーザ光照射後の画像濃度を検出する濃度検出手段と、を更に備え、前記制御手段は、前記濃度検出手段により検出される画像濃度が予め定めた閾値以上となるように、前記温度調整手段を制御する、請求項８から請求項１６までのいずれか１項に記載の液滴吐出装置である。
【手続補正９】
【補正対象書類名】特許請求の範囲
【補正対象項目名】全文
【補正方法】変更
【補正の内容】
【特許請求の範囲】
【請求項１】
第１の液体を貯留する第１の貯留手段と、
赤外線吸収剤を含有する第２の液体を前記第１の液体とは別に貯留する第２の貯留手段と、
前記第１の液体と前記第２の液体とを混合して混合液を生成する混合手段と、
前記混合液を外部に供給する供給手段と、
を備えた液体供給装置。
【請求項２】
第１の液体を貯留する第１の貯留手段と、
赤外線吸収剤を含有する第２の液体を前記第１の液体とは別に貯留する第２の貯留手段と、
前記第１の液体の供給量と前記第２の液体の供給量とを調整する調整手段と、
前記調整手段により調整された供給量で前記第１の液体と前記第２の液体とを混合して混合液を生成する混合手段と、
前記混合液を外部に供給する供給手段と、
外部に供給後または外部に供給前の混合液内の赤外線吸収剤の濃度と相関関係を有する特性値を取得する取得手段と、
前記取得手段で取得される特性値が予め定めた許容範囲内となるように前記調整手段を制御する制御手段と、
を備えた液体供給装置。
【請求項３】
前記混合手段が、前記第１の液体と前記第２の液体とを撹拌して混合する、請求項２に記載の液体供給装置。
【請求項４】
前記第２の貯留手段が、前記第２の液体を、赤外線吸収剤が劣化しない第１の温度に調整する第１の温度調整手段を更に備えた、請求項２または請求項３に記載の液体供給装置。
【請求項５】
前記供給手段が、前記外部に供給する前記混合液を、前記混合液の粘度が閾値以下となる第２の温度に調整する第２の温度調整手段を更に備えた、請求項２から請求項４までのいずれか１項に記載の液体供給装置。
【請求項６】
前記制御手段が、前記取得手段で取得される特性値が予め定めた許容範囲外の場合は、前記混合液内の赤外線吸収剤の濃度の補正量を求め、得られた補正量に応じて前記第２の液体の供給量を増やすように前記調整手段を制御する、請求項２から請求項５までのいずれか１項に記載の液体供給装置。
【請求項７】
ノズルから液滴を吐出して記録媒体上に画像を形成する液滴吐出ヘッドと、
第１の液体を貯留する第１の貯留手段と、
赤外線吸収剤を含有する第２の液体を前記第１の液体とは別に貯留する第２の貯留手段と、
前記第１の液体と前記第２の液体とを混合して混合液を生成する混合手段と、
前記混合液を前記液滴吐出ヘッドに供給する供給手段と、
前記記録媒体上に形成された前記画像にレーザ光を照射する照射手段と、
を備えた液滴吐出装置。
【請求項８】
ノズルから液滴を吐出して記録媒体上に画像を形成する液滴吐出ヘッドと、
第１の液体を貯留する第１の貯留手段と、
赤外線吸収剤を含有する第２の液体を前記第１の液体とは別に貯留する第２の貯留手段と、
前記第１の液体の供給量と前記第２の液体の供給量とを調整する調整手段と、
前記調整手段により調整された供給量で前記第１の液体と前記第２の液体とを混合して混合液を生成する混合手段と、
前記混合液を前記液滴吐出ヘッドに供給する供給手段と、
前記記録媒体に形成された前記画像にレーザ光を照射する照射手段と、
前記液滴吐出ヘッドから吐出後または吐出前の混合液内の赤外線吸収剤の濃度と相関関係を有する特性値を取得する取得手段と、
前記取得手段で取得される特性値が予め定めた許容範囲内となるように前記調整手段を制御する制御手段と、
を備えた液滴吐出装置。
【請求項９】
前記混合手段が、前記第１の液体と前記第２の液体とを撹拌して混合する、請求項８に記載の液滴吐出装置。
【請求項１０】
前記第２の貯留手段が、前記第２の液体を、赤外線吸収剤が劣化しない第１の温度に調整する第１の温度調整手段を更に備えた、請求項８または請求項９に記載の液滴吐出装置。
【請求項１１】
前記供給手段が、前記液滴吐出ヘッドに供給する前記混合液を、前記混合液の粘度が吐出に適した粘度となる第２の温度に調整する第２の温度調整手段を更に備えた、請求項８から請求項１０までのいずれか１項に記載の液滴吐出装置。
【請求項１２】
前記制御手段が、前記取得手段で取得された特性値が予め定めた許容範囲外の場合は、前記混合液内の赤外線吸収剤の濃度の補正量を求め、得られた補正量に応じて前記第２の液体の供給量を増やすように前記調整手段を制御する、請求項８から請求項１１までのいずれか１項に記載の液滴吐出装置。
【請求項１３】
前記取得手段が、前記特性値として前記照射手段によるレーザ光照射後の画像の温度を取得し、
前記制御手段が、予め求めた画像の温度と赤外線吸収剤の濃度との関係に基づいて、前記取得手段により取得された画像の温度と予め定めた閾値温度との差分から、前記液滴吐出ヘッドから吐出後の前記混合液内の赤外線吸収剤の濃度の補正量を求める、請求項１２に記載の液滴吐出装置。
【請求項１４】
前記取得手段が、前記特性値として前記照射手段によるレーザ光照射後の画像の定着性を表す評価値を取得し、
前記制御手段が、予め求めた評価値と赤外線吸収剤の濃度との関係に基づいて、前記取得手段により取得された評価値と予め定めた閾値評価値との差分から、前記液滴吐出ヘッドから吐出後の前記混合液内の赤外線吸収剤の濃度の補正量を求める、請求項１２に記載の液滴吐出装置。
【請求項１５】
前記取得手段が、前記特性値として前記液滴吐出ヘッドに供給される混合液の特性を表す物理量を取得し、
前記制御手段が、予め求めた物理量と赤外線吸収剤の濃度との関係に基づいて、前記取得手段により取得された物理量と予め定めた閾値物理量との差分から、前記液滴吐出ヘッドから吐出後の前記混合液内の赤外線吸収剤の濃度の補正量を求める、請求項１２に記載の液滴吐出装置。
【請求項１６】
前記混合液の特性を表す物理量が、ｐＨ、導電率、粘度、及び近赤外吸光度のいずれか１つである、請求項１５に記載の液滴吐出装置。
【請求項１７】
前記液滴吐出ヘッドに供給される混合液の温度を調整する温度調整手段と、前記照射手段によるレーザ光照射後の画像濃度を検出する濃度検出手段と、を更に備え、
前記制御手段は、前記濃度検出手段により検出される画像濃度が予め定めた閾値以上となるように、前記温度調整手段を制御する、
請求項８から請求項１６までのいずれか１項に記載の液滴吐出装置。